(57)【要約】【課題】柄部を壁面等に立て掛けた際の安定性を向上させつつ、柄部の上端部を持った際にも、安定して清掃を行うことができる掃除具用柄及び掃除具を提供する。【解決手段】柄本体２１と、使用者が把持するための把持部２２と、を有する柄部２であって、把持部２２は、硬質部２２２と、硬質部２２２と比較して軟質な材料によって形成された軟質部２２１と、を有し、把持部２２の周面２２ｂの一部には、柄本体２１と接続されている側と反対側の端部まで、硬質部２２２が存在している。【選択図】図５
2019000478.tif 000002
【特許請求の範囲】
【請求項１】
柄本体と、使用者が把持するための把持部と、を有する清掃具用柄であって、
前記把持部は、
硬質部と、前記硬質部と比較して軟質な材料によって形成された軟質部と、を有し、
前記把持部の周面の一部には、柄本体と接続されている側と反対側の端部まで、前記硬質部が存在していることを特徴とする掃除具用柄。
【請求項２】
前記把持部は、前記柄本体と接続されている側と反対側の面が、先端に向けて傾斜した傾斜面として形成され、
前記軟質部は、前記把持部の周面の前記端部近傍を、前記先端側を除いて覆うように形成されていることを特徴とする請求項１に記載の掃除具用柄。
【請求項３】
前記把持部の周面の前記先端付近には、複数の突起部が形成されていることを特徴とする請求項２に記載の掃除具用柄。
【請求項４】
前記把持部は、周面に、滑り止め部を備えることを特徴とする請求項１から３のいずれか一項に記載の掃除具用柄。
【請求項５】
前記把持部は、周面に、前記把持部の軸方向に沿う溝状に形成された溝部を備えることを特徴とする請求項１から４のいずれか一項に記載の掃除具用柄。
【請求項６】
前記把持部の周面の前記先端付近には、第２軟質部が形成されていることを特徴とする請求項１から５のいずれか一項に記載の掃除具用柄。
【請求項７】
請求項１から６のいずれか一項に記載の掃除具用柄を備えた掃除具。
【発明の詳細な説明】
【技術分野】
【０００１】
本発明は、掃除具用柄及び掃除具に関する。
【背景技術】
【０００２】
従来、床面の清掃を行うための掃除具として、清掃シートが取り付けられるヘッド部と、使用者が掃除具を把持するための柄部と、ヘッド部と柄部とを接続するためのジョイント部と、を有し、ジョイント部を介して、ヘッド部と柄部とが回動可能に連結されたものが知られている。
このような掃除具の柄部には、掃除具の使用時の操作性や、掃除具不使用時の収納の安定性等の向上のため種々の工夫が凝らされており、例えば、柄部を壁面等に立て掛けた際の安定性を向上させるため、柄部の上端部に弾性材料からなるエンドキャップが備えられたものが存在している（特許文献１参照）。
【先行技術文献】
【特許文献】
【０００３】
【特許文献１】特開２０１２−９０９４７号公報
【発明の概要】
【発明が解決しようとする課題】
【０００４】
しかしながら、上記特許文献に記載の掃除具用柄においては、柄部の上端部の全体が弾性材料からなるエンドキャップによって覆われているため、上端部の強度が不足しており、この部分を持った際に安定して清掃を行うことができなかった。
【０００５】
本発明の課題は、柄部を壁面等に立て掛けた際の安定性を向上させつつ、柄部の上端部を持った際にも、安定して清掃を行うことができる掃除具用柄及び掃除具を提供することである。
【課題を解決するための手段】
【０００６】
上記課題を解決するために、請求項１に記載の発明は、
柄本体と、使用者が把持するための把持部と、を有する清掃具用柄であって、
前記把持部は、
硬質部と、前記硬質部と比較して軟質な材料によって形成された軟質部と、を有し、
前記把持部の周面の一部には、柄本体と接続されている側と反対側の端部まで、前記硬質部が存在していることを特徴とする。
本発明によれば、柄部を壁面等に立て掛けた際の安定性を向上させつつ、柄部の上端部を持った際にも、安定して清掃を行うことができる掃除具用柄を提供することができる。
【０００７】
請求項２に記載の発明は、請求項１に記載の掃除具用柄において、
前記把持部は、前記柄本体と接続されている側と反対側の面が、先端に向けて傾斜した傾斜面として形成され、
前記軟質部は、前記把持部の周面の前記端部近傍を、前記先端側を除いて覆うように形成されていることを特徴とする。
本発明によれば、柄部を壁面等に立て掛けた際の安定性を向上させつつ、柄部の上端部を持った際にも、安定して清掃を行うことができる掃除具用柄を提供することができる。
【０００８】
請求項３に記載の発明は、請求項２に記載の掃除具用柄において、
前記把持部の周面の前記先端付近には、複数の突起部が形成されていることを特徴とする。
本発明によれば、周面の先端側を壁面等に向けて立て掛けた場合における安定性を向上させた掃除具用柄を提供することができる。
【０００９】
請求項４に記載の発明は、請求項１から３のいずれか一項に記載の掃除具用柄において、
前記把持部は、周面に、滑り止め部を備えることを特徴とする。
本発明によれば、着用者が把持した状態において滑りにくい掃除具用柄を提供することができる。
【００１０】
請求項５に記載の発明は、請求項１から４のいずれか一項に記載の掃除具用柄において、
前記把持部は、周面に、前記把持部の軸方向に沿う溝状に形成された溝部を備えることを特徴とする。
本発明によれば、壁面等に立て掛けた際の安定性をさらに向上させた掃除具用柄を提供することができる。
【００１１】
請求項６に記載の発明は、請求項１から５のいずれか一項に記載の掃除具用柄において、
前記把持部の周面の前記先端付近には、第２軟質部が形成されていることを特徴とする。
本発明によれば、周面の先端側を壁面等に向けて立て掛けた場合における安定性を向上させた掃除具用柄を提供することができる。
【００１２】
請求項７に記載の発明は、
請求項１から６のいずれか一項に記載の掃除具用柄を備えた掃除具である。
本発明によれば、柄部を壁面等に立て掛けた際の安定性を向上させつつ、柄部の上端部を持った際にも、安定して清掃を行うことができる掃除具を提供することができる。
【発明の効果】
【００１３】
本発明によれば、柄部を壁面等に立て掛けた際の安定性を向上させつつ、柄部の上端部を持った際にも、安定して清掃を行うことができる掃除具用柄及び掃除具を提供することができる。
【図面の簡単な説明】
【００１４】
【図１】実施形態に係る掃除具の斜視図である。
【図２】実施形態に係る掃除具の正面図である。なお、柄部の上部は省略している。
【図３】実施形態に係る掃除具の側面図である。なお、柄部の上部は省略している。
【図４】ヘッド部の底面図である。
【図５】（ａ）は実施形態に係る把持部の正面図、（ｂ）は実施形態に係る把持部の側面図、（ｃ）は実施形態に係る把持部の背面図、（ｄ）は実施形態に係る把持部の平面図である。
【図６】掃除具の使用者が把持部を把持した状態を示す図である。
【図７】実施形態に係る掃除具の、ジョイント部の第１ヨーク部の斜視図である。
【図８】実施形態に係る掃除具の、柄部の下部及びジョイント部の第２ヨーク部の斜視図である。
【図９】実施形態に係る掃除具の、ジョイント部の連結部の斜視図である。
【図１０】掃除具の使用者が、把持部の上端部を把持した状態を示す図である。
【図１１】（ａ）は変形例１に係る把持部の正面図、（ｂ）は変形例１に係る把持部の側面図、（ｃ）は変形例１に係る把持部の背面図、（ｄ）は変形例１に係る把持部の平面図である。
【図１２】（ａ）は変形例２に係る把持部の正面図、（ｂ）は変形例２に係る把持部の側面図、（ｃ）は変形例２に係る把持部の背面図、（ｄ）は変形例２に係る把持部の平面図である。
【図１３】（ａ）は変形例３に係る把持部の正面図、（ｂ）は変形例３に係る把持部の側面図、（ｃ）は変形例３に係る把持部の背面図、（ｄ）は変形例３に係る把持部の平面図である。
【図１４】（ａ）は比較例１に係る把持部の正面図、（ｂ）は比較例１に係る把持部の側面図、（ｃ）は比較例１に係る把持部の背面図、（ｄ）は比較例１に係る把持部の平面図である。
【図１５】（ａ）は比較例２に係る把持部の正面図、（ｂ）は比較例２に係る把持部の側面図、（ｃ）は比較例２に係る把持部の背面図、（ｄ）は比較例２に係る把持部の平面図である。
【発明を実施するための形態】
【００１５】
以下、本発明の実施形態である掃除具１００の具体的な態様について、図１から図７に基づいて説明する。ただし、本発明の技術的範囲は、図示例に限定されない。
また、便宜的に、図１に示したようにＸ軸、Ｙ軸及びＺ軸並びに前後方向、左右方向及び上下方向を定めて説明する。
【００１６】
（実施形態の構成）
掃除具１００は、清掃シートＰが取り付けられるヘッド部１と、使用者が掃除具１００を把持するための柄部２と、ヘッド部１と柄部２とを接続するジョイント部３と、を備えている。
【００１７】
（ヘッド部）
ヘッド部１は、図１、図２及び図３に示すように、異なる材質によって形成された天面部１１と底面部１２とによって構成され、天面部１１の上面の略中央部に、ジョイント部３を介して柄部２が取り付けられている。
【００１８】
（天面部）
天面部１１は、Ｘ軸方向５０ｍｍ〜１５０ｍｍ、好ましくは７０ｍｍ〜１２０ｍｍ、Ｙ軸方向２００ｍｍ〜３００ｍｍ、好ましくは２２０ｍｍ〜２７０ｍｍの大きさを有する、Ｙ軸方向に長い平面視略矩形状の部材であり、例えばＡＢＳ樹脂（アクリロニトリル、ブタジエン、スチレン共重合合成樹脂）等の硬質な材料によって形成されている。
天面部１１の上面側は、図２に示すように、Ｙ軸方向両端部付近が高く、Ｙ軸方向中央部付近が低くなるように形成されており、Ｙ軸方向両端部付近に隆起部１１１が形成され、Ｙ軸方向中央部付近に沈降部１１２が形成されている。
天面部１１の下面側は、平面となるように形成され、底面部１２の上面側と貼付されている。
【００１９】
（隆起部）
隆起部１１１は、図２に示すように、正面視において天面部１１の上面側のＹ軸方向両端部付近において、上方に向けて隆起するように形成されている。また、隆起部１１１は、図３に示すように、側面視においてＸ軸方向中央部付近が最も高く、前後方向からＸ軸方向中央部付近にむけて緩やかに隆起するように形成されている。
隆起部１１１は、最も高い部分において、ヘッド部１の厚みが１０ｍｍ〜３０ｍｍ、好ましくは１５ｍｍ〜２５ｍｍとなるように形成されている。ヘッド部１の厚みが１０ｍｍより低いと、後述の取付部１３へのシート取付け時に指の入りが悪くシートが外れやすくなり、ヘッド部１の厚みが３０ｍｍより高いと、ソファやラック下などの足の低い家具の下側への入り込みが困難となる。
【００２０】
なお、隆起部１１１の具体的な配置位置及び形状は、上記のものに限られず、柄部２が第１突起部３１１を乗り越える際にこれを持ち上げることができる範囲で、適宜変更することが可能である。
また、隆起部１１１は、ヘッド部１の平面視における長手方向の両端部付近に形成されることが望ましいが、これに限られず、後述の第１ヨーク部３１の２つの第１突起部３１１が並ぶ方向と同一の方向の両端部付近に形成されていればよい。
【００２１】
（沈降部）
沈降部１１２は、図２に示すように、天面部１１の上面側のＹ軸方向中央部付近において、両端部に形成された隆起部１１１から緩やかに沈降するように形成されている。
沈降部１１２は、ジョイント部３を介して柄部２が取り付けられる天面部１１の中央部において、ヘッド部１の厚みが１５ｍｍ以下、好ましくは１２ｍｍ以下となるように形成されている。
【００２２】
（底面部）
底面部１２は、図１、図２及び図３に示すように、例えばＴＰＥ（熱可塑性エラストマー）等の天面部１１と比較して軟質な弾性変形可能な材料によって、平面視において天面部１１と合同な略矩形状となるように形成されている。厚みはＺ軸方向に１ｍｍ〜１０ｍｍ、好ましくは３ｍｍ〜４ｍｍに形成される。
用いられる材料のゴム硬度は６０〜１００（ＪＩＳ  Ｋ  ６２５３で規定する、デュロメータタイプＡ（ショアＡ）で測定した値）がダスト捕集性の観点から好ましい。
底面部１２は、上面側と下面側とが略平行となるように形成され、上面側において、天面部１１と貼付されている。
【００２３】
（平面部及び凹状部）
底面部１２の下面側には、図４に示すように、平面部１２１と、短手方向凹状部１２２と、長手方向凹状部１２３と、が形成されている。
【００２４】
（平面部）
平面部１２１は、図４に示すように、底面部１２下面側の短手方向凹状部１２２及び長手方向凹状部１２３以外の部分を構成する、後述の線状リブ１２４を除いて略平面上に形成された部分である。
【００２５】
なお、底面部１２は、ヘッド部１の下側を構成する弾性変形可能な材料によって形成された部材の全体を指し、平面部１２１は、底面部１２の下面のうち、略平面上に形成された部分を指す。
【００２６】
（短手方向凹状部）
短手方向凹状部１２２は、図２及び図４に示すように、底面部１２の下面側の短手方向（Ｘ軸方向）の両端部付近に形成された上方に向けて凹状となるように形成された部分である。これによって、掃除具１００の使用時において、ヘッド部１の下面側の短手方向（Ｘ軸方向）の両端部付近は、床面に密着せず、床面との間に間隙が生じることとなる。
【００２７】
短手方向凹状部１２２は、ヘッド部１の短手方向（Ｘ軸方向）の両端部付近の下面側において、床面との間に間隙を生じさせることが可能であれば任意の形状に形成することが可能であるが、ヘッド部１の前側又は後側の端部のＹ軸方向中央部において底面部１２の下面側が最も大きく凹むように形成され、当該部分から離れるにつれて凹みが小さくなり、平面部１２１になだらかに接続されるように形成されていることが望ましい。
短手方向凹状部１２２は、最も凹んだ部分において、上方に０．１ｍｍ〜５ｍｍ、より好ましくは０．５ｍｍ〜３ｍｍ平面部１２１と比較して凹むように形成される。
【００２８】
底面部１２の下面側に短手方向凹状部１２２が形成されていることによって、掃除具１００をヘッド部１の短手方向（Ｘ軸方向）に動かして床面の清掃を行う際に、床面のごみがヘッド部１の前後の端部に溜まらずに、ヘッド部１の下面に誘い込まれるようになり、ごみの捕集性を向上させることができる。
【００２９】
（長手方向凹状部）
長手方向凹状部１２３は、図３及び図４に示すように、底面部１２の下面側の長手方向（Ｙ軸方向）の両端部付近に形成された上方に向けて凹状となるように形成された部分である。これによって、掃除具１００の使用時において、ヘッド部１の下面側の長手方向（Ｙ軸方向）の両端部付近は、床面に密着せず、床面との間に間隙が生じることとなる。
【００３０】
長手方向凹状部１２３は、ヘッド部１の長手方向（Ｙ軸方向）の両端部付近の下面側において、床面との間に間隙を生じさせることが可能であれば任意の形状に形成することが可能であるが、ヘッド部１の右側又は左側の端部のＸ軸方向中央部において底面部１２の下面側が最も大きく凹むように形成され、当該部分から離れるにつれて凹みが小さくなり、平面部１２１になだらかに接続されるように形成されていることが望ましい。
長手方向凹状部１２３は、最も凹んだ部分において、上方に０．１ｍｍ〜５ｍｍ、より好ましくは０．５ｍｍ〜３ｍｍ平面部１２１と比較して凹むように形成される。
【００３１】
底面部１２の下面側に長手方向凹状部１２３が形成されていることによって、掃除具１００をヘッド部１の長手方向（Ｙ軸方向）に動かして床面の清掃を行う際に、床面のごみがヘッド部１の左右の端部に溜まらずに、ヘッド部１の下面に誘い込まれるようになり、ごみの捕集性を向上させることができる。
【００３２】
（線状リブ）
底面部１２下面側の平面部１２１には、図４に示すように、底面視において線状となるように下方に凸となった線状リブ１２４が形成されている。
線状リブ１２４は、全てＹ軸方向に同一の高さを有するように形成され、具体的には、０．１ｍｍ〜２ｍｍ、より好ましくは０．２ｍｍ〜１ｍｍ下方に向けて突出するように形成される。また、各線状リブは、長さが１ｍｍ〜１００ｍｍ、より好ましくは８ｍｍ〜８５ｍｍ、幅が０．１ｍｍ〜２ｍｍ、より好ましくは０．２ｍｍ〜１．２ｍｍの線状に形成される。
なお、線状リブ１２４には、底面視直線状に形成されたリブと、底面視曲線状に形成されたリブの双方を含む。
【００３３】
線状リブ１２４は、斜線リブ１２４１と、菱形リブ１２４２と、からなり、具体的な配置は以下の通りである。
【００３４】
（斜線リブ）
斜線リブ１２４１は、線状リブ１２４のうち、菱形リブ１２４２を除いた部分であり、平面部１２１のうち、菱形リブ１２４２が形成された部分を除いた略全面に形成されている。
斜線リブ１２４１は、図４に示すように、ヘッド部１の底面視において、ヘッド部１底面のＸ軸方向中央部から、前方又は後方に向かうにつれて、Ｙ軸方向中央部に向けて、Ｘ軸に平行な方向から傾斜する線状に形成されている。
【００３５】
（菱形リブ）
菱形リブ１２４２は、図４に示すように、線状のリブが、底面視略菱形上に配置された部分であり、平面部１２１のうち、Ｘ軸方向及びＹ軸方向における中央部と、Ｘ軸方向中央部であって、Ｙ軸方向において中央部と端部との中間となる位置の２か所と、ヘッド部１下面の四隅付近の４箇所と、に形成されている。
【００３６】
（端部リブ）
底面部１２下面側の長手方向（Ｙ軸方向）の両端部付近の下面側には、Ｘ軸方向中央部に、Ｙ軸方向に沿って直線状に形成された端部リブ１２５が形成されている。
端部リブ１２５は、平面部１２１から見て、下方向に１ｍｍ〜５ｍｍの高さを有するように形成される。１ｍｍより低いと溝の清掃を十分に行うことができなくなり、５ｍｍより高いと床面の平面部の清掃の際に邪魔になる可能性が高くなる。ただし、端部リブ１２５は、Ｚ軸方向に線状リブ１２４よりも高くなるように形成される必要がある。
なお、図４に示すように端部リブ１２５が、長手方向凹状部１２３に重なって形成されている場合においても、端部リブは、平面部１２１に対して上記の高さを有するように形成される必要がある。
また、端部リブ１２５は、Ｙ軸方向の長さ１０ｍｍ〜５０ｍｍ、より好ましくは２０ｍｍ〜３０ｍｍ、Ｘ軸方向の幅０．１ｍｍ〜３ｍｍ、より好ましくは０．５ｍｍ〜１．５ｍｍとなるように形成される。
端部リブが設けられていることによって、これを床面の溝に入り込ませることで、床面の平面部のみならず、溝の清掃を行うことも可能となる。
【００３７】
（端部突起部）
ヘッド部１の長手方向（Ｙ軸方向）の両端部のＸ軸方向の中央部には、図１、図２及び図４に示すように、端部リブ１２５から連続する形で、Ｙ軸方向に突出する端部突起部１２６が形成されている。端部突起部１２６は、ヘッド部１の長手方向（Ｙ軸方向）の両端部から、０．５ｍｍ〜３ｍｍ、より好ましくは０．８ｍｍ〜２ｍｍ右方又は左方へ突出するように形成される。
【００３８】
（取付部）
天面部１１上面の平面視四隅付近には、図１に示すように、取付部１３が備えられている。取付部１３は、天面部１１上面の隆起部１１１上に形成された、周囲にＥＶＡ（エチレン酢酸ビニル共重合体）等によって形成された爪部１３１が備えられた穴であり、清掃シートＰを押し込み爪部１３１に引っ掛けることで、ヘッド部１に清掃シートＰを取り付けることができる。具体的には、底面部１２の下面側に清掃シートＰを密着させ、底面部１２の下面側からはみ出した部分の清掃シートＰを天面部１１の上面側に折り返し、天面部１１の上面側に設けられた取付部１３に押し込むことで、清掃シートＰをヘッド部１に取り付けることとなる。
なお、取付部１３の形状は、清掃シートＰをヘッド部１に取り付けることができればよく、上記の形状には限られない。
【００３９】
（柄部）
柄部２は、掃除具１００を使用する際に使用者がこれ把持するために用いられる棒状の部材であり、図１に示すように、柄本体２１と、把持部２２とを備える。なお、柄部２は、ヘッド部１に対してジョイント部３を介して回動可能に接続されるが、図１に示すようにヘッド部１上に垂直に立てた状態において前後方向、左右方向及び上下方向を定めて説明する。
【００４０】
（柄本体）
柄本体２１は、図１に示すように、例えばＡＢＳ樹脂（アクリロニトリル、ブタジエン、スチレン共重合合成樹脂）、金属（アルミニウム、スチール、ステンレス）、ポリカーボネート、ポリプロピレン等の硬質な材料によって形成された棒状の部材であり、下端において、ヘッド部１の天面部１１の上面側の略中央部に、ジョイント部３を介して接続され、上端部において、把持部２２に接続されている。
柄本体２１は、下端部付近において、図３に示すように、前後方向の厚みが左右方向の厚みと比較して薄くなるように形成されている。これによって、柄部２を低い状態に倒し易くなる。
なお、柄部２を低い状態に倒し易くなるという効果は減少するものの、柄本体２１の下端部付近は、前後方向と、左右方向とにおいて同じ厚みとなるように形成してもよい。また、例えば後述の第２突起部３２１の強度を重視し、前後方向の厚みが左右方向の厚みよりも厚くなるように形成してもよい。
【００４１】
柄本体２１は、Ｚ軸方向に５００ｍｍから１０００ｍｍ、より好ましくは６００ｍｍから９００ｍｍの長さを有するように形成される。
【００４２】
（把持部）
把持部２２は、柄部２のうち、掃除具１００の使用時に使用者が把持する部分であり、下端部において柄本体２１に接続されている。
把持部２２はＺ軸方向に１００ｍｍから４００ｍｍ、より好ましくは２５０ｍｍから３５０ｍｍの長さを有し、平面視において、最も太くなる部分で直径１５ｍｍから４５ｍｍ、より好ましくは２０ｍｍから４０ｍｍの略円形となるように形成される。
なお、把持部２２は、本実施形態のように柄本体２１と別部材として形成されていてもよいし、一体として形成されていてもよい。
【００４３】
（傾斜面）
把持部２２の上面は、図５（ｂ）に示すように、Ｚ軸に対して垂直な面（ＸＹ面）に対して、一方向に傾斜するように形成され、傾斜面２２ａが形成されている。傾斜面２２ａは、ＸＹ面に対して３０°から８０°、より好ましくは４０°から７０°傾斜するように形成される。また、傾斜面２２ａが、最もＺ軸方向に高くなる点、すなわち、傾斜面２２ａの前端部を、先端２２ａａとする。
【００４４】
（周面）
把持部２２の周面２２ｂ、すなわち、把持部２２の外面のうち、上面の傾斜面２２ａ及び柄本体２１と接続される下面を除いた面は、図５（ａ）から（ｄ）に示すように、下端部付近及び傾斜面２２ａが形成された上端部付近を除いて、上方へ向かうにつれて、徐々に太くなる断面形状を有するように形成されている。
【００４５】
（溝部）
図５（ｃ）及び（ｄ）に示すように、把持部２２上部の、傾斜面２２ａがＺ軸方向に低くなっている側、すなわち後側には、柄本体が溝状にＸ軸方向へと凹となった溝部２２ｃが形成されている。
溝部２２ｃは、Ｘ軸方向に深さ０．５ｍｍから５ｍｍ、より好ましくは１ｍｍから３ｍｍ、Ｙ軸方向に幅５ｍｍから３０ｍｍ、より好ましくは１０ｍｍから２０ｍｍ、Ｚ軸方向に長さ３０ｍｍから１００ｍｍ、より好ましくは４０ｍｍから７０ｍｍとなるように形成される。
【００４６】
（孔部）
図５（ａ）から（ｄ）に示すように、把持部２２の上端部近傍には、傾斜面２２ａから、周面２２ｂ上部の、先端２２ａａ側、すなわち、前側へと貫通する孔部２２ｄが形成されている。
孔部２２ｄは、図５（ｃ）及び（ｄ）に示すように、傾斜面２２ａが広く凹状に下方へ陥没した陥没部２２ｄａと、陥没部２２ｄａから、周面２２ｂ上部の先端２２ａａ側へと貫通する貫通孔２２ｄｂと、からなる。
【００４７】
孔部２２ｄは、貫通孔２２ｄｂが直径５ｍｍから２０ｍｍ、より好ましくは８ｍｍから１５ｍｍの正面視円形の孔となるように形成される。
【００４８】
（滑り止め部）
把持部２２の周面２２ｂの、先端２２ａａ側、すなわち前側には、図５（ａ）及び（ｂ）に示すように、周面２２ｂの表面が水平方向の線状に複数箇所隆起した、滑り止め部２２ｅが形成されている。
【００４９】
滑り止め部２２ｅを形成する複数の線状の突起は、夫々が、Ｘ軸方向に高さ０．１ｍｍから２ｍｍ、より好ましくは０．５ｍｍから１ｍｍ、Ｙ軸方向に長さ５ｍｍから５０ｍｍ、より好ましくは１０ｍｍから４０ｍ、Ｚ軸方向に幅１ｍｍから５ｍｍ、より好ましくは１．５ｍｍから３ｍに形成される。また、滑り止め部２２ｅを形成する線状の突起は、Ｚ軸方向に２ｍｍから１０ｍｍ、より好ましくは３ｍｍから６ｍｍの間隔を空けて形成されることが望ましい。
【００５０】
滑り止め部２２ｅは、図６に示すように、掃除具１００の使用者が把持部２２を把持した際に親指の先端が接する位置、具体的には、把持部２２の上端部からの距離が、３０ｍｍから２５０ｍｍ、より好ましくは７０ｍｍから１８０ｍｍの位置に形成される。
【００５１】
なお、図５（ａ）及び（ｂ）においては、滑り止め部２２ｅとして、線状の突起が４本形成された場合につき図示したが、滑り止め部２２ｅの構成はこれに限られない。これより多数又は少数の線状の突起を形成してもよいし、例えば点状の突起等、線状以外の突起によって滑り止め部を形成してもよい。また、例えば、何らかの摩擦抵抗が大きい材料を表面に貼付することによって滑り止め部２２ｅを形成してもよい。
【００５２】
（突起部）
周面２２ｂの、先端２２ａａ付近には、図５（ａ）、（ｂ）及び（ｄ）に示すように、前方向に向かって突出する突起部２２ｆが、Ｙ軸方向に２個並ぶように備えられている。
突起部２２ｆの夫々は、図５（ａ）、（ｂ）及び（ｄ）に示すように、周面２２ｂに接する側が欠けた球状に形成され、球の直径が１ｍｍ〜１０ｍｍ、より好ましくは２ｍｍ〜６ｍｍとなるように形成される。また、周面２２ｂからの高さが０．５ｍｍ〜５ｍｍ、より好ましくは１ｍｍ〜３ｍｍに形成される。
なお、突起部２２ｆは、先端２２ａａ側を壁に向けて柄部２を立て掛けた際に、複数の点が壁に接するようにできるものであればよく、必ずしも２個に限定されず、より多数の突起部２２ｆが備えられていてもよい。また、形状も球状には限定されない。
【００５３】
（連結部）
把持部２２の下方には、図５（ａ）から（ｃ）に示すように、柄本体２１との連結に用いられる連結部２２ｇが備えられ、把持部２２は柄本体２１の上部に、連結部２２ｇを用いて着脱自在に取り付けられる。
連結部２２ｇの構成としては、２本の棒状の部材を着脱自在に連結可能であれば、任意の構成を採用可能である。
なお、上記のように、把持部２２が連結部２２ｇを備えず、柄本体２１と把持部２２とが一体的に形成されていてもよい。
【００５４】
（軟質部）
軟質部２２１は、熱可塑性エラストマー（スチレン系、オレフィン系）、ウレタン、ＥＶＡ樹脂等の、後述の硬質部２２２と比較して軟質な材料によって形成される。具体的な硬度としては、ゴム硬度６０〜１００（ＪＩＳ  Ｋ  ６２５３で規定する、デュロメータタイプＡ（ショアＡ）で測定した値）の材料によって形成されることが好ましい。
【００５５】
軟質部２２１は、図５（ａ）から（ｃ）に示すように、把持部２２の周面２２ｂ上部を、傾斜面２２ａが低くなる側、すなわち後側から、左右に回り込むように覆い、傾斜面２２ａが高くなる先端２２ａａ側、すなわち前側は覆わないように形成されている。
【００５６】
また、軟質部２２１は、図５（ｄ）に示すように、傾斜面２２ａが高くなる前側の一部を除いて、傾斜面２２ａの略全体を覆っており、陥没部２２ｄａの内面全体も、軟質部２２１によって覆われている。
【００５７】
軟質部２２１は、図６に示すように、掃除具の使用者が把持部２２を把持した際に、人差指から小指までが掛かる範囲全体を覆うように形成されている。具体的には、把持部２２の上端から、４０ｍｍから２３０ｍｍ、より好ましくは６０ｍｍから１６０ｍｍ程度下方の位置まで形成されていることが望ましい。
【００５８】
（硬質部）
硬質部２２２は、把持部２２の本体をなす部分であり、軟質部２２１以外の把持部２２の全体である。
硬質部２２２は、プラスチック樹脂（ポリプロピレン）等の、軟質部２２１と比較して硬質な材料によって形成されている。
【００５９】
上記のように軟質部２２１が形成されていることによって、硬質部２２２は、図５（ａ）及び（ｂ）に示すように、把持部２２の前側においては、周面２２ｂの、柄本体２１と接続されている側と反対側の端部、すなわち上端部まで存在していることとなる。
【００６０】
（ジョイント部）
ジョイント部３は、図１、図２及び図３に示すように、ヘッド部１の天面部１１の上面側の略中央部に備えられる第１ヨーク部３１と、柄部２の下端部に備えられる第２ヨーク部３２と、第１ヨーク部３１と、第２ヨーク部３２と、を接続する連結部３３と、から形成されている。
【００６１】
（第１ヨーク部）
第１ヨーク部３１は、図１、図２、図３及び図７に示すように、ヘッド部１の天面部１１の上面側中央部において天面部１１と一体的に形成された、第１対向面部３１１１で向かい合う二つの対称形状の第１突起部３１１によって形成されている。なお、本実施形態においては、２つの対称形状の突起を備えて形成された、他の部材との接続に用いられる部分を「ヨーク部」と呼ぶ。
【００６２】
（第１突起部）
第１突起部３１１は、図１、図２、図３及び図７に示すように、Ｘ軸方向から見て、第１突起部３１１同士が対向する第１対向面部３１１１に向けて徐々に高さが高くなるように形成され、Ｙ軸に沿って並ぶように配置されている。
【００６３】
第１突起部３１１は、Ｘ軸方向５ｍｍ〜２０ｍｍ、好ましくは８ｍｍ〜１５ｍｍ、Ｙ軸方向１０ｍｍ〜５０ｍｍ、好ましくは１５ｍｍ〜３０ｍｍとなるように形成されている。また、最も高くなる第１対向面部３１１１付近においては、Ｚ軸方向５ｍｍ〜１５ｍｍ、好ましくは８ｍｍ〜１２ｍｍとなり、隆起部１１１と比較して同等又は高くなるように形成されている。また、第１突起部３１１は、第１対向面部３１１１同士が、１０ｍｍ〜２５ｍｍ、好ましくは１５ｍｍ〜２０ｍｍの間隔を有するように配置されている。
【００６４】
（第１対向面部）
第１対向面部３１１１は、図１、図２及び図７に示すように、第１突起部３１１同士が向かい合う面であり、天面部１１の上面側から略垂直に立設する略矩形状に形成され、第１対向面部３１１１同士が平行となるように形成されている。
また、図５に示すように、第１対向面部３１１１には、穴部３１１３が形成されている。
【００６５】
（穴部）
穴部３１１３は、第１対向面部３１１１に形成された円柱状の穴であり、後述のように連結部３３の第１回動軸心部３３１との接続に用いられる。
【００６６】
（側面部）
側面部３１１２は、図１、図２及び図７に示すように、第１対向面部３１１１の左右両側から連続して形成された、第１突起部３１１の、ＹＺ平面と平行にＸ軸方向を向く面であり、ヘッド部１の天面部１１の上面側から略垂直に立設するように形成されている。
【００６７】
（第２ヨーク部）
第２ヨーク部３２は、図１、図２、図３及び図８に示すように、柄部２の柄本体２１の下端部において、軸方向に向けて延出する二つの対称形状の第２突起部３２１と、第２突起部３２１の第２対向面部３２１１の間に架け渡された第２軸部材３２２と、から形成されている。
【００６８】
（第２突起部）
第２突起部３２１は、図１、図３及び図８に示すように、柄本体２１下端の、図１に示す状態におけるＸ軸方向の両端部に、第２対向面部３２１１同士が平行に向かい合うように柄本体２１と一体的に形成されている。
【００６９】
第２突起部３２１は、図１に示す状態において、Ｘ軸方向に２ｍｍ〜６ｍｍ、好ましくは３ｍｍ〜５ｍｍの厚みを有し、Ｙ軸方向に柄本体２１と略同一の幅を有する。X軸方向の厚みが薄すぎると清掃時の押圧による強度不足となり破損に繋がり易く、厚すぎると柄をX軸方向へ倒した際、柄がヘッド部の上面と干渉し略平行まで傾け難くなる。
また、第２対向面部３２１１同士が、２ｍｍ〜１０ｍｍ、好ましくは３ｍｍ〜７ｍｍの間隔を有するように形成されている。
【００７０】
（第２軸部材）
第２軸部材３２２は、図８に示すように、第２対向面部３２１１の間を、Ｙ軸方向中心部においてＸ軸に沿って架け渡すように、第２突起部３２１と一体的に形成されている。
【００７１】
（連結部）
連結部３３は、図１、図２及び図３に示すように第１ヨーク部３１と、第２ヨーク部３２の間に介在する形で備えられ、図９に示すように、前方向から見て略三角形状に形成され、中心軸が立体交差する形で交わることなく直交する第１回動軸心部３３１と第２回動軸心部３３２とを備えている。
また、連結部３３を形成する材料としては、例えばポリアセテートが用いられる。
【００７２】
（第１回動軸心部）
第１回動軸心部３３１は、図９に示すように、連結部３３の下端部に形成された、第１ヨーク部３１との接続に用いられる部分であり、Ｙ軸方向両端部に、円柱状の突出部３３１１を有する。
第１回動軸心部３３１は、突出部３３１１を除いた部分のＹ軸方向の幅が、第１突起部３１１の第１対向面部３１１１同士の間隔と略同一となり、また、突出部３３１１が、穴部３１１３と略同一の形状となるように形成されている。したがって、突出部３３１１を穴部３１１３に嵌め込むことで、連結部３３を、Ｙ軸周りに回動可能に第１ヨーク部３１に装着することができる。
なお、図９に示す第１回動軸心部３３１のＹ軸に沿った中心軸を、第１軸心ａとする。
【００７３】
（第２回動軸心部）
第２回動軸心部３３２は、図９に示すように、連結部３３の上端部に形成された、第２ヨーク部３２との接続に用いられる部分であり、上端部の一部が切り欠かれ、前後方向に貫通した略円筒形状の第２装着孔部３３２１を有する。第２装着孔部３３２１は、内側に形成された円筒形状の空間の直径が、第２軸部材３２２の直径と略同一となる。また、Ｘ軸方向の長さが、第２軸部材３２２の長さと略同一となるように形成されており、第２装着孔部３３２１に、第２軸部材３２２を嵌め込むことで、連結部３３を、Ｘ軸周りに回動可能に、第２ヨーク部３２に固定することができる。
なお、図９に示す第２回動軸心部３３２のＸ軸に沿った中心軸を、第２軸心ｂとする。
【００７４】
（実施形態の効果）
本実施形態によれば、上記のように把持部２２を形成することによって、掃除具１００の使用者は、図６に示すように把持部２２を把持する場合において、軟質な材料によって形成された軟質部２２１を把持することが可能となり、掃除具１００を持ち易くなる。
【００７５】
また、掃除具１００を用いて、上下方向に狭い空間の奥を清掃する場合等においては、掃除具１００の使用者は、できる限りヘッド部１を遠くに届かせようと、図１０に示すように、把持部２２の上方の端部付近を持つことがある。
本実施形態によれば、把持部２２の周面の、傾斜面２２ａが最も高くなる先端２２ａａ側が、軟質部２２１によって覆われておらず、把持部２２の上端部まで硬質部２２２が備えられているため、図１０に示すように、使用者が把持部２２上端部を持って清掃を行う場合においても、把持部２２に十分な強度が維持され、清掃が行い易くなる。
【００７６】
また、把持部２２には、使用者が図６に示すように把持部２２を把持した際に親指が掛かる位置に、滑り止め部２２ｅが形成されている。これによって、清掃時に親指が滑り難くなる。
【００７７】
また、把持部２２上部に、軟質な材料によって形成された軟質部２２１が形成されているため、壁に軟質部２２１が接するように掃除具１００を立て掛けることによって、掃除具１００が滑り難くなり、壁等に立て掛けた際の安定性も向上させることができる。また、把持部２２上端に傾斜面２２ａが形成されていることで、さらに壁等に立て掛けた際の安定性を向上させることができる。
【００７８】
また、傾斜面２２ａが高くなる先端２２ａａ側には、図５（ａ）、（ｂ）及び（ｄ）に示すように、周面２２ｂ上端部付近に、突起部２２ｆがＹ軸方向に並んで２個備えられているため、周面２２ｂの先端２２ａａ側を壁に向けて掃除具１００を立て掛けた場合に、２点が壁に接することとなる。これによって、上述の把持部２２の上端部を把持した際の強度の維持という効果を損なうことなく、周面２２ｂの先端２２ａａ側を壁に向けて掃除具１００を立て掛けた場合においても、これを倒れ難くすることができる。
【００７９】
また、把持部２２の周面２２ｂの、傾斜面２２ａが低くなる側には、図５（ｃ）及び（ｄ）に示すように、溝部２２ｃが形成されている。これによって、傾斜面２２ａが低くなる側を壁に向けて掃除具１００を立て掛けた場合、把持部２２上端部の、溝部２２ｃの両側の２点（図５（ｃ）及び（ｄ）における接触点Ａ及びＢが、壁に接することとなる。
これによって、２点によって把持部２２が壁に支えられることとなるので、掃除具１００を壁に立て掛けた状態でさらに滑り難くなる。
【００８０】
（変形例１）
図１１に示す把持部２２Ａのように、突起部２２ｆの代わりに、周面２２ｂの先端２２ａａ付近において一部だけ周面２２ｂの前側を覆うように、第２軟質部２２３を形成してもよい。なお、図１１（ｄ）においては、軟質部２２１と第２軟質部２２３とが、先端２２ａａ付近において接続された場合につき図示したが、軟質部２２１と第２軟質部２２３とが接続されず、それぞれ別個に形成されていてもよい。
また、突起部２２ｆを備えた上で、さらに第２軟質部を備えてもよい。
【００８１】
傾斜面２２ａが高くなる先端２２ａａ側に第２軟質部２２３が形成されていることによって、周面２２ｂの先端２２ａａ側を壁に向けて掃除具１００を立て掛けた場合に、第２軟質部２２３が壁に接することとなる。これによって、上述の把持部２２の上端部を把持した際の強度の維持という効果を損なうことなく、周面２２ｂの先端２２ａａ側を壁に向けて掃除具１００を立て掛けた場合においても、これを倒れ難くすることができる。
なお、第２軟質部２２３は、周面２２ｂと面一に形成されていてもよいし、これが前方に突出するように形成されていてもよい。
【００８２】
（変形例２）
図１２に示す把持部２２Ｂのように、第２軟質部２２３Ｂが、貫通孔２２ｄｂ内部から、周面２２ｂの貫通孔２２ｄｂ周辺までを覆うように形成されていてもよい。また、この場合、第２軟質部２２３Ｂは、前方に１ｍｍ〜１０ｍｍ、より好ましくは５ｍｍ〜８ｍｍ突出するように形成される。
この場合も、上述の把持部２２の上端部を把持した際の強度の維持という効果を損なうことなく、周面２２ｂの先端２２ａａ側を壁に向けて掃除具１００を立て掛けた場合においても、これを倒れ難くすることができる。
なお、第２軟質部２２３Ｂは、前方に突出しないように形成してもよい。
【００８３】
（変形例３）
図１３に示す把持部２２Ｃのように、周面２２ｂの前側の貫通孔２２ｄｂの上部を形成することによって、突起部２２ｆＣが２個形成されるようにしてもよい。
この場合も、周面２２ｂの先端２２ａａ側を壁に向けて掃除具１００を立て掛けた場合に、２点が壁に接することとなる。これによって、上述の把持部２２の上端部を把持した際の強度の維持という効果を損なうことなく、周面２２ｂの先端２２ａａ側を壁に向けて掃除具１００を立て掛けた場合においても、これを倒れ難くすることができる。
【実施例】
【００８４】
次に、本発明の実施例及び比較例について、把持部上端部付近を持った際のグリップ性、親指の滑り難さ、立て掛けた際の安定性について評価した結果について説明する。以下、実施例により本発明を具体的に説明するが、本発明はこれらに限定されるものではない。
【００８５】
（実施例１）
図５に示す把持部を備えた、上記実施形態に係る掃除具である。
具体的には、ヘッド部を平面視において長手方向２４０ｍｍ、短手方向９５ｍｍの矩形状に形成し、柄部を、Ｚ軸方向に、全体の長さが１１２０ｍｍ、柄本体の長さが８８２ｍｍ、把持部の長さが２８２ｍｍとなるように形成した。
把持部は、軟質部の材料としてエラストマー（ＴＰＥ）を、硬質部の材料としてポリプロピレンを使用し、上端の面を傾斜面として形成した。また、傾斜面が最も低くなっている側の周面に、溝部をＸ軸方向に深さ２ｍｍ、Ｙ軸方向に幅１５ｍｍ、Ｚ軸方向に長さ６２ｍｍとなるように形成した。また、傾斜面が最も高くなっている側の周面の上端付近に、２つの突起部を、直径４ｍｍの略半球状に、高さ２ｍｍとなるように形成した。
軟質部は、周面の、傾斜面が最も高くなっている側を覆わないように形成した。また、軟質部は、最も低い部分で、上端から最大で１０３ｍｍまで把持部の周面を覆うように形成した。
また、滑り止め部を、把持部の上端から１０３ｍｍから１２３ｍｍの範囲に、４本の線状の突起によって形成した。
【００８６】
（比較例１）
図１４に示す把持部２２Ｄを備えた掃除具である。
具体的には、ヘッド部を平面視において長手方向２４０ｍｍ、短手方向９５ｍｍの矩形状に形成し、柄部を、Ｚ軸方向に、全体の長さが１１２０ｍｍ、柄本体の長さが８８２ｍｍ、把持部の長さが２８２ｍｍとなるように形成した。
把持部は、軟質部の材料としてエラストマー（ＴＰＥ）を、硬質部の材料としてポリプロピレンを使用し、上端の面を傾斜面として形成した。
軟質部は、把持部上端付近の周面の全周を覆うように形成した。また、軟質部は、最も低い部分で、上端から５７ｍｍまで把持部の周面を覆うように形成した。
溝部、突起部及び滑り止め部は、形成しなかった。
【００８７】
（比較例２）
図１５に示す把持部２２Ｅを備えた掃除具である。
具体的には、ヘッド部を平面視において長手方向２４０ｍｍ、短手方向９５ｍｍの矩形状に形成し、柄部を、Ｚ軸方向に、全体の長さが１１２０ｍｍ、柄本体の長さが８２２ｍｍ、把持部の長さが２８２ｍｍとなるように形成した。
把持部は、全体を硬質部として、ポリプロピレンを用いて形成した。
溝部、突起部及び滑り止め部は、形成しなかった。
【００８８】
上記実施例及び比較例の掃除具を実際に被験者に使用させ、把持部上端部付近を持った際のグリップ性、親指の滑り難さ、立て掛けた際の安定性について官能評価を行った。
【００８９】
試験の結果を表Iに示す。なお、評価の基準は、以下のとおりである。
◎：満足感が得られた。
○：ほぼ満足感が得られた。
△：滑ってしまい、不満が残った。
×：全く満足感が得られなかった。
【００９０】
【表１】
2019000478.tif 000003
【００９１】
（評価）
実施例１と、比較例１及び２との比較により、軟質部が把持部上端付近の周面の全周を覆わないようにし、硬質部が一部において把持部の周面の上端部まで形成されているようにすることで、使用者が把持部上端部付近を把持した際のグリップ性を向上できることが分かる。
また、滑り止め部を備えることによって、使用者が把持部を把持した状態において、親指が滑りにくくなることが分かる。
また、把持部上部に溝部を設け、２点が接する形で把持部を立て掛けることができるようにすることで、立て掛けた際の安定性を向上することができることが分かる。
【符号の説明】
【００９２】
１００  掃除具
２  柄部
２１  柄本体
２２  把持部
２２ａ  傾斜面
２２ａａ  先端
２２ｂ  周面
２２ｃ  溝部
２２ｅ  滑り止め部
２２ｆ、２２ｆＣ  突起部
２２１  軟質部
２２２  硬質部
２２３、２２３Ｂ  第２軟質部
【図１】
2019000478.tif 000004
【図２】
2019000478.tif 000005
【図３】
2019000478.tif 000006
【図４】
2019000478.tif 000007
【図５】
2019000478.tif 000008
【図６】
2019000478.tif 000009
【図７】
2019000478.tif 000010
【図８】
2019000478.tif 000011
【図９】
2019000478.tif 000012
【図１０】
2019000478.tif 000013
【図１１】
2019000478.tif 000014
【図１２】
2019000478.tif 000015
【図１３】
2019000478.tif 000016
【図１４】
2019000478.tif 000017
【図１５】
2019000478.tif 000018
【手続補正書】
【提出日】平成30年10月31日(2018.10.31)
【手続補正１】
【補正対象書類名】明細書
【補正対象項目名】０００６
【補正方法】変更
【補正の内容】
【０００６】
上記課題を解決するために、請求項１に記載の発明は、
柄本体と、使用者が把持するための把持部と、を有する清掃具用柄であって、
前記把持部は、
硬質部と、前記硬質部と比較して軟質な材料によって形成された軟質部と、を有し、
前記把持部の周面の一部には、柄本体と接続されている側と反対側の端部まで、前記硬質部が存在しており、
前記柄本体と接続されている側と反対側の面が、先端に向けて傾斜した傾斜面として形成され、
前記軟質部は、前記把持部の周面の前記端部近傍を、前記先端側を除いて覆うように形成されていることを特徴とする。
本発明によれば、柄部を壁面等に立て掛けた際の安定性を向上させつつ、柄部の上端部を持った際にも、安定して清掃を行うことができる掃除具用柄を提供することができる。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
請求項２に記載の発明は、請求項１に記載の掃除具用柄において、
前記把持部の周面の前記先端付近には、複数の突起部が形成されていることを特徴とする。
本発明によれば、周面の先端側を壁面等に向けて立て掛けた場合における安定性を向上させた掃除具用柄を提供することができる。
請求項３に記載の発明は、請求項１又は２に記載の掃除具用柄において、
前記把持部の周面の前記先端付近には、第２軟質部が形成されていることを特徴とする。
本発明によれば、周面の先端側を壁面等に向けて立て掛けた場合における安定性を向上させた掃除具用柄を提供することができる。
請求項４に記載の発明は、
柄本体と、使用者が把持するための把持部と、を有する清掃具用柄であって、
前記把持部は、
硬質部と、前記硬質部と比較して軟質な材料によって形成された軟質部と、を有し、
前記把持部の周面の一部には、柄本体と接続されている側と反対側の端部まで、前記硬質部が存在しており、
周面に、前記把持部の軸方向に沿う溝状に形成された溝部を備えることを特徴とする。
本発明によれば、壁面等に立て掛けた際の安定性をさらに向上させた掃除具用柄を提供することができる。
【手続補正４】
【補正対象書類名】明細書
【補正対象項目名】０００９
【補正方法】変更
【補正の内容】
【０００９】
請求項５に記載の発明は、請求項１から４のいずれか一項に記載の掃除具用柄において、
前記把持部は、周面に、滑り止め部を備えることを特徴とする。
本発明によれば、着用者が把持した状態において滑りにくい掃除具用柄を提供することができる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
請求項６に記載の発明は、
請求項１から５のいずれか一項に記載の掃除具用柄を備えた掃除具である。
本発明によれば、柄部を壁面等に立て掛けた際の安定性を向上させつつ、柄部の上端部を持った際にも、安定して清掃を行うことができる掃除具を提供することができる。
【手続補正８】
【補正対象書類名】特許請求の範囲
【補正対象項目名】全文
【補正方法】変更
【補正の内容】
【特許請求の範囲】
【請求項１】
柄本体と、使用者が把持するための把持部と、を有する清掃具用柄であって、
前記把持部は、
硬質部と、前記硬質部と比較して軟質な材料によって形成された軟質部と、を有し、
前記把持部の周面の一部には、柄本体と接続されている側と反対側の端部まで、前記硬質部が存在しており、
前記柄本体と接続されている側と反対側の面が、先端に向けて傾斜した傾斜面として形成され、
前記軟質部は、前記把持部の周面の前記端部近傍を、前記先端側を除いて覆うように形成されていることを特徴とする掃除具用柄。
【請求項２】
前記把持部の周面の前記先端付近には、複数の突起部が形成されていることを特徴とする請求項１に記載の掃除具用柄。
【請求項３】
前記把持部の周面の前記先端付近には、第２軟質部が形成されていることを特徴とする請求項１又は２に記載の掃除具用柄。
【請求項４】
柄本体と、使用者が把持するための把持部と、を有する清掃具用柄であって、
前記把持部は、
硬質部と、前記硬質部と比較して軟質な材料によって形成された軟質部と、を有し、
前記把持部の周面の一部には、柄本体と接続されている側と反対側の端部まで、前記硬質部が存在しており、
周面に、前記把持部の軸方向に沿う溝状に形成された溝部を備えることを特徴とする掃除具用柄。
【請求項５】
前記把持部は、周面に、滑り止め部を備えることを特徴とする請求項１から４のいずれか一項に記載の掃除具用柄。
【請求項６】
請求項１から５のいずれか一項に記載の掃除具用柄を備えた掃除具。